(57)【要約】【課題】  電子機器の最適な個所にスピーカおよび放音孔を設け、中継装置で塞がれても、スピーカの音を中継装置の外部に放音できる。【解決手段】  装置本体２の装着部２０に電子カメラ３を装着したときに、カメラ本体４の放音孔１８から放音されるスピーカ１６の音を装置本体２の前面側に導く導音路２５を装着部２０とカメラ本体４とによって形成した。従って、カメラ本体４の放音孔１８が装置本体２で覆われても、カメラ本体４内のスピーカ１６からの音を導音路２５によって装置本体２の前面側に導くことができ、これにより装置本体２にメラ本体４とは別のスピーカを設けなくても、スピーカ１６からの音を装置本体２の前面側で良好に聞くことができる。【選択図】        図６
2005073108.tif 000002
【特許請求の範囲】
【請求項１】
機器本体に内蔵されたスピーカの音を放音孔から前記機器本体の外部に放音する携帯型の電子機器が着脱可能に装着される装置本体を備え、この装置本体を介して前記電子機器と外部装置とを電気的に接続する中継装置において、
前記装置本体には、前記電子機器の前記機器本体が着脱可能に装着されて前記機器本体の前記放音孔を覆う装着部が設けられ、この装着部には、前記機器本体が装着されたときに、前記放音孔から放音された音を前記装置本体の外部に導く導音路が前記装着部と前記機器本体とによって形成されていることを特徴とする中継装置。
【請求項２】
前記装着部には、前記装置本体の前面側を除いて、前記機器本体によって塞がれる凹部が前記導音路に対応して形成されていることを特徴する請求項１に記載の中継装置。
【請求項３】
機器本体に内蔵されたスピーカの音を放音孔から前記機器本体の外部に放音する携帯型の電子機器が着脱可能に装着される装置本体を備え、この装置本体を介して前記電子機器と外部装置とを電気的に接続する中継装置において、
前記装置本体には、前記電子機器の前記機器本体が着脱可能に装着されて前記機器本体の前記放音孔を覆う装着部が設けられ、この装着部には、前記機器本体が装着されたときに、前記放音孔から放音された音を前記装置本体内に導く貫通孔が設けられ、前記装置本体の内部には、前記貫通孔で導かれた音を共鳴させる共鳴空間が設けられていることを特徴とする中継装置。
【請求項４】
前記装置本体の前面には、前記共鳴空間で共鳴された音を前記装置本体の前面側に向けて放音する放音孔部が設けられていることを特徴する請求項３に記載の中継装置。
【請求項５】
スピーカを内蔵した機器本体を備え、この機器本体が中継装置に着脱可能に装着され、この状態で前記中継装置を介して外部装置と電気的に接続される電子機器において、
前記機器本体には、前記スピーカの音を前記機器本体の外部に放音する放音孔が設けられていると共に、前記機器本体が前記中継装置に装着されたときに、前記放音孔から放音された音を前記中継装置の外部に導く導音路を形成する凹部が前記放音孔に対応して設けられていることを特徴とする電子機器。
【発明の詳細な説明】
【技術分野】
【０００１】
この発明は、電子カメラや携帯電話機、あるいはポータブルな音響機器などの携帯型の電子機器を電源や外部機器などの外部装置と電気的に接続するための中継装置およびその電子機器に関する。
【背景技術】
【０００２】
従来、スピーカを内蔵した電子カメラやポータブルな音響機器などの携帯型の電子機器においては、電源や外部機器などの外部装置と電気的に接続する際、電子機器の機器本体を中継装置に着脱可能に装着して外部装置と電気的に接続し、この状態で充電を行ったり、パソコンなどの外部機器との間でデータの授受を行ったりするように構成されている。
このような中継装置においては、装置本体に電子機器が装着されたときに、電子機器のスピーカの放音孔が装置本体によって塞がれてしまうことがある。このような構造の中継装置では、その装置本体に電子機器とは別のスピーカを設け、この別のスピーカで電子機器に記憶された音データを再生するようにしたものがある。
【０００３】
しかしながら、このような中継装置では、装置本体に電子機器のスピーカとは別のスピーカを設けているため、部品点数が多くなるばかりか、製造コストも高くなるという問題がある。なお、このような問題を回避するため、中継装置の装置本体に電子機器を装着したときに、装置本体によって電子機器のスピーカの放音孔が塞がれないように、電子機器における所定個所にスピーカの放音孔を設けることが考えられるが、このような構造では、電子機器の機器本体におけるスピーカおよび放音孔の設置個所が制約され、機器本体の最適な位置にスピーカおよび放音孔を設けることができないという問題が生じる。
【特許文献１】特開２００３−１１１２８７号公報
【発明の開示】
【発明が解決しようとする課題】
【０００４】
この発明が解決しようとする問題点は、電子機器のスピーカおよび放音孔の設置個所が中継装置によって制約を受け、電子機器の放音孔が中継装置で覆われてしまう場合に、電子機器とは別のスピーカを中継装置に設けなければならない点にある。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図９に示すように、機器本体（カメラ本体４）に内蔵されたスピーカ（１６）の音を放音孔（１８）から前記機器本体の外部に放音する携帯型の電子機器（電子カメラ３）が着脱可能に装着される装置本体（２）を備え、この装置本体を介して前記電子機器と外部装置とを電気的に接続する中継装置において、
前記装置本体には、前記電子機器の前記機器本体が着脱可能に装着されて前記機器本体の前記放音孔を覆う装着部（２０）が設けられ、この装着部には、前記機器本体が装着されたときに、前記放音孔から放音された音を前記装置本体の外部に導く導音路（２５）が前記装着部と前記機器本体とによって形成されていることを特徴とする中継装置（１）である。
【０００７】
請求項２に記載の発明は、図６および図７に示すように、前記装着部（２０）に、前記装置本体（２）の前面側を除いて、前記機器本体（カメラ本体４）によって塞がれる凹部（２４）が前記導音路（２５）に対応して形成されていることを特徴する請求項１に記載の中継装置である。
【０００８】
請求項３に記載の発明は、図１０〜図１２に示すように、機器本体（カメラ本体４）に内蔵されたスピーカ（１６）の音を放音孔（１８）から前記機器本体の外部に放音する携帯型の電子機器（電子カメラ３）が着脱可能に装着される装置本体（２）を備え、この装置本体を介して前記電子機器と外部装置とを電気的に接続する中継装置において、
前記装置本体には、前記電子機器の前記機器本体が着脱可能に装着されて前記機器本体の前記放音孔を覆う装着部（２０）が設けられ、この装着部には、前記機器本体が装着されたときに、前記放音孔から放音された音を前記装置本体内に導く貫通孔（３２）が設けられ、前記装置本体の内部には、前記貫通孔で導かれた音を共鳴させる共鳴空間（３１、３４）が設けられていることを特徴とする中継装置（３０）である。
【０００９】
請求項４に記載の発明は、図１２に示すように、前記装置本体（２）の前面に、前記共鳴空間（３４）で共鳴された音を前記装置本体の前面側に向けて放音する放音孔部（３５）が設けられていることを特徴する請求項３に記載の中継装置である。
【００１０】
請求項５に記載の発明は、図１３および図１４に示すように、スピーカ（１６）を内蔵した機器本体（カメラ本体４）を備え、この機器本体が中継装置（１）に着脱可能に装着され、この状態で前記中継装置を介して外部装置と電気的に接続される電子機器において、
前記機器本体には、前記スピーカの音を前記機器本体の外部に放音する放音孔（１８）が設けられていると共に、前記機器本体が前記中継装置に装着されたときに、前記放音孔から放音された音を前記中継装置の外部に導く導音路（４２）を形成する凹部（４１）が前記放音孔に対応して設けられていることを特徴とする電子機器（電子カメラ４０）である。
【発明の効果】
【００１１】
請求項１に記載の発明によれば、装置本体の装着部に電子機器を装着すると、電子機器の機器本体に設けられた放音孔から放音される音を装置本体の前面側に導く導音路が装着部と電子機器とによって形成されるので、電子機器の機器本体に設けられてスピーカからの音を機器本体の外部に放音する放音孔が装置本体の装着部で覆われても、機器本体の放音孔から放音された音を導音路によって装置本体の外部に導くことができ、これにより電子機器のスピーカからの音を装置本体の外部で良好に聞くことができる。
【００１２】
このため、電子機器の機器本体におけるスピーカおよび放音孔の設置個所が装置本体によって制約を受けて、機器本体の放音孔が装置本体の装着部で覆われても、装置本体に電子機器とは別のスピーカを設ける必要がないので、部品点数を削減し、低コスト化を図ることができ、しかも機器本体の最適な位置にスピーカおよび放音孔を設けることができ、これにより機能的にも外観的にも好ましいものを得ることができる。
【００１３】
請求項２に記載の発明によれば、装置本体の装着部に、その装置本体の前面側を除いて、電子機器の機器本体によって塞がれる凹部を導音路に対応させて形成したので、請求項１に記載の発明と同様、機器本体の放音孔が装置本体の装着部で覆われても、電子機器のスピーカからの音を装置本体の凹部によって形成された導音路で導いて装置本体の前面側から放音することができ、これによりスピーカからの音を装置本体の前面側で良好に聞くことができるほか、特に装置本体に凹部を形成するだけで良いので、その構造が簡単で、部品点数も増加せず、容易に製作でき、低価格化を図ることができる。
【００１４】
請求項３に記載の発明によれば、装置本体の装着部に電子機器を装着すると、電子機器の機器本体に設けられた放音孔が装着部に設けられた貫通孔に対応し、この貫通孔を通して機器本体内のスピーカからの音が装置本体内に導かれ、この導かれた音が装置本体内の共鳴空間で共鳴されるので、機器本体の放音孔が装置本体によって覆われても、電子機器のスピーカからの音の音質を高めることができると共に、その音質が高められた音を装置本体の外部で良好に聞くことができる。
【００１５】
このため、この請求項３に記載の発明においても、請求項１に記載の発明と同様、電子機器の機器本体におけるスピーカおよび放音孔の設置個所が装置本体によって制約を受けて、機器本体の放音孔が装置本体の装着部で覆われても、装置本体に電子機器とは別のスピーカを設ける必要がないので、部品点数を削減し、低コスト化を図ることができ、しかも機器本体の最適な位置にスピーカおよび放音孔を設けることができ、これにより機能的にも外観的にも好ましいものを得ることができる。
【００１６】
請求項４に記載の発明によれば、装置本体の前面に、共鳴空間で共鳴された音を装置本体の前面側に向けて放音する放音孔部を設けたので、共鳴空間で共鳴されて音質が高められた音を放音孔部から装置本体の前面側に放音することができ、これにより請求項１に記載の発明と同様、機器本体の放音孔が装置本体の装着部で覆われても、電子機器のスピーカからの音を装置本体の前面側で良好に聞くことができる。
【００１７】
請求項５に記載の発明によれば、機器本体を中継装置に装着すると、機器本体に設けられた凹部によって機器本体に設けられた放音孔から放音された音を中継装置の外部に導く導音路が形成されるので、機器本体の放音孔が中継装置によって覆われても、スピーカからの音を導音路によって中継装置の外部に導くことができ、これにより機器本体内のスピーカからの音を中継装置の外部で良好に聞くことができる。
【００１８】
このため、この請求項５に記載の発明においても、請求項１に記載の発明と同様、電子機器の機器本体におけるスピーカおよび放音孔の設置個所が装置本体によって制約を受けて、機器本体の放音孔が装置本体の装着部で覆われても、装置本体に電子機器とは別のスピーカを設ける必要がないので、中継装置の部品点数を削減し、低コスト化を図ることができるほか、電子機器の機器本体の最適な位置にスピーカおよび放音孔を設けることができ、これにより機能的にも外観的にも好ましいものを得ることができる。
【発明を実施するための最良の形態】
【００１９】
（実施形態１）
以下、図１〜図７を参照して、この発明を適用した実施形態１について説明する。
図１はこの発明の中継装置に電子カメラを装着した状態の斜視図、図２は図１の中継装置を示した斜視図、図３は電子カメラを前面側から見た斜視図、図４はその電子カメラを裏面側から見た斜視図、図５は図１の正面図、図６は図５のＡ−Ａ矢視における断面図、図７は図４の要部を拡大した断面図である。
この中継装置１は、図１に示すように、装置本体２を備え、この装置本体２に携帯型の電子機器である電子カメラ３が着脱可能に装着され、この状態で装置本体２を介して電子カメラ３と電源や外部機器などの外部装置（図示せず）とを電気的に接続するように構成されている。
【００２０】
この場合、電子カメラ３は、図３および図４に示すように、カメラ本体４を備えている。このカメラ本体４の前面における右上隅には、図３に示すように、撮影部５が設けられており、その左側に位置する個所には光学ファインダ６およびマイク部７が上下に並んで設けられ、更にその左側に位置する個所にはストロボ発光部８が設けられている。このカメラ本体１の上面における左側（図４では右側）には、シャッタ釦９および電源スイッチ１０が設けられている。
【００２１】
また、このカメラ本体１の裏面における左側に位置する個所には、図４に示すように、表示部１１が設けられており、その右側に位置する複数個所には各種のメニューキー１２〜１４が上下左右に並んで設けられている。これら各種のメニューキー１２〜１４の右下側には、十字方向に操作可能なカーソルキー１５が設けられており、表示部１１の上側に位置する個所には、カメラ本体４の前面側から連続する光学ファインダ６が設けられている。
【００２２】
さらに、このカメラ本体４の内部には、スピーカ１６が撮影部５の下側に位置し、且つ表示部１１の裏面に対応した状態で、図６および図７に示すように、スピーカ保持部材１７によって取り付けられており、このカメラ本体４の下面には、スピーカ１６の音を外部に放音する放音孔１８が設けられている。この場合、スピーカ保持部材１７は、スピーカ１６の放音面をカメラ本体４の前面側に向けてスピーカ１６を保持し、この状態でスピーカ１６の音を放音孔１８に導くように構成されている。なお、このカメラ本体４の下面におけるほぼ中間部には、図３〜図５に示すように、雌型のコネクタ１９が外部に突出することなく設けられている。
【００２３】
一方、中継装置１の装置本体２は、図１および図２に示すように、全体がほぼ台形の箱型形状に形成されており、その手前側上部には、電子カメラ３が着脱可能に装着する装着部２０が設けられている。この装着部２０は、図２および図６に示すように、その前側中間部が開放された枠状部２１と、その底部を塞ぐ底面部２２とからなり、枠状部２１は、後方に向けて傾いた状態で装置本体２の手前側上部に設けられており、底面部２２は、その底面が前上がり、つまり図６および図７に示すように底面の左側が高く右側が低くなる左上がりの傾斜面に形成されている。
【００２４】
これにより、この装着部２０は、図１に示すように、カメラ本体４の下部側が上方から枠状部２１に挿入してカメラ本体４の下面が装着部２０の底面部２２に当接することにより、カメラ本体４を装置本体２の後方に傾けて起立させた状態で保持するように構成されている。この場合、装着部２０の底面部２２には、図５に示すように、カメラ本体４の下面に設けられた雌型のコネクタ１９に差し込まれて電気的に接続する雄型のコネクタ２３が上方に突出して設けられている。
【００２５】
また、装着部２０の底面部２２には、図６および図７に示すように、装置本体２の前面側を除いて、カメラ本体４の下面によって塞がれる凹部２４が設けられている。この凹部２４は、カメラ本体４が装着部２０に装着されたときに、カメラ本体４の下面に設けられた放音孔１８から放音されたスピーカ１６の音を装置本体２の前面側に導いて放音させるための導音路２５を装着部２０とカメラ本体４とによって形成するように構成されている。なお、この装置本体２には、電源や外部機器などの外部装置（図示せず）と電気的に接続する接続ケーブル２６が設けられており、また、この装置本体２の内部には、図示しないが、中継機能に必要な各種の電子部品が設けられている。
【００２６】
このような中継装置１では、装置本体２の装着部２０にカメラ本体４を装着するときに、カメラ本体４の裏面つまり表示部１１が設けられた面を装置本体２の前面側に向けた状態で、カメラ本体４を装置本体２の装着部２０に上方から挿入すると、図６に示すように、装着部２０の枠状部２１によってカメラ本体４が装置本体２の後方に向けて傾いた状態で装着部２０に装着される。このときには、カメラ本体４の下面に設けられた雌型のコネクタ１９に装着部２０の底面部２２に設けられた雄型のコネクタ２３が差し込まれて、カメラ本体４の下面が装着部２０の底面部２２に当接する。
【００２７】
これにより、カメラ本体４が装置本体２に電気的に接続されると共に、この装置本体２が接続ケーブル２６によって電源や外部機器などの外部装置と電気的に接続されるので、中継装置１を介して電子カメラ３と外部装置とが電気的に接続される。この状態では、電子カメラ３に電力を供給して充電させたり、電子カメラ３に記憶されている画像や音声などの情報をパソコンなどの外部機器に与えたり、あるいは電子カメラ３に記憶されている画像や音声などの情報を表示部１１やスピーカ１６で再生したりすることができる。
【００２８】
このときには、カメラ本体４が装置本体２の装着部２０に装着されると、装着部２０の底面部２２にカメラ本体４の放音孔１８に対応して設けられた凹部２４が、装置本体２の前面側を除いて、カメラ本体４の下面によって塞がれ、これによりカメラ本体４の放音孔１８から放音されるスピーカ１６の音を装置本体２の前面側に導く導音路２５が装着部２０とカメラ本体４とによって形成される。このため、カメラ本体４の放音孔１８が装置本体２によって覆われても、カメラ本体４のスピーカ１６からの音を導音路２５によって装置本体２の前面側に導くことができ、これによりカメラ本体４のスピーカ１６からの音を装置本体２の前面側で良好に聞くことができる。
【００２９】
このため、この中継装置１によれば、電子カメラ３のカメラ本体４におけるスピーカ１６および放音孔１８の設置個所が装置本体２の装着部２０によって制約を受け、カメラ本体４の放音孔１８が装置本体２の装着部２０で覆われても、装置本体２にカメラ本体４のスピーカ１６とは別のスピーカを設ける必要がない。このため、部品点数が少なく、製造コストを削減することができ、しかも装着部２０に導音路２５を形成する凹部２４を形成するだけで良いので、構造が簡単で、部品点数も増加せず、容易に製作でき、これによっても低価格化を図ることができる。
【００３０】
また、この電子カメラ３では、カメラ本体４におけるスピーカ１６および放音孔１８の設置個所も装置本体２によって制約を受けることがないので、カメラ本体４の最適な位置にスピーカ１６および放音孔１８を設置することができ、これにより機能的にも、また外観的にも好ましいものを得ることができる。
【００３１】
なお、上記実施形態１では、装着部２０の底面部２２に凹部２４を設けたが、必ずしも装着部２０の底面部２２に凹部２４を形成する必要はなく、例えば図８および図９に示した変形例１のように、装着部２０の底面部２２に一対のリブ２７を上方に突出させて設け、この一対のリブ２７上にカメラ本体４の下面を当接させて支持することにより、装着部２０の底面部２２とカメラ本体４の下面との間に、カメラ本体４の放音孔１８から放音されるスピーカ１６の音を装置本体２の前面側に導く導音路２５を形成するように構成しても良い。このような構造でも、実施形態１と同様の作用効果がある。
【００３２】
（実施形態２）
次に、図１０および図１１を参照して、この発明を適用した実施形態２について説明する。なお、図１〜図７に示された実施形態１と同一部分には同一符号を付して説明する。
この中継装置３０は、電子カメラ３が着脱可能に装着される装置本体２の内部に共鳴空間３１を設けると共に、装置本体２の装着部２０の底面部２２にカメラ本体４内のスピーカ１６からの音を共鳴空間３１に導く貫通孔３２を設けた構造で、これ以外は実施形態１とほぼ同じ構造になっている。
【００３３】
すなわち、装着部２０は、実施形態１と同様、カメラ本体４を装置本体２の後方に傾けた状態で起立させて保持する枠状部２３と、カメラ本体４の下面が前上がりに当接する傾斜面を有する底面部２２とからなり、この底面部２２におけるカメラ本体４の放音孔１８と対応する個所に貫通孔３２が設けられている。また、装置本体２内の共鳴空間３１は、装着部２０の下側で且つ装置本体２の前面側に設けられ、カメラ本体４のスピーカ１６からの音が放音孔１８および貫通孔３２を通して導かれ、この導かれた音を共鳴させように構成されている。
【００３４】
このような中継装置３０では、実施形態１と同様、装置本体２の装着部２０にカメラ本体４が装着されると、カメラ本体４が装置本体２に電気的に接続されると共に、この装置本体２を介してカメラ本体４と外部装置とが電気的に接続されるので、電子カメラ３に電力を供給して充電させたり、電子カメラ３に記憶されている画像や音声などの情報をパソコンなどの外部機器に与えたり、あるいは電子カメラ３に記憶されている画像や音声などの情報を表示部１１やスピーカ１６で再生したりすることができる。
【００３５】
このときには、カメラ本体４の放音孔１８から放音されたスピーカ１６の音が、装置本体２の装着部２０の底面部２２に設けられた貫通孔３２を通して装置本体２内に導かれ、この導かれたスピーカ１６の音が装置本体２内に設けられた共鳴空間３１で共鳴されるので、カメラ本体４の放音孔１８が装置本体２で覆われていても、カメラ本体４内のスピーカ１６からの音の音質を共鳴空間３１で共鳴させて高めることができると共に、この音質が高められた音を装置本体２の外部で聞くことができる。
【００３６】
このように、この中継装置３０においても、実施形態１と同様、電子カメラ３のカメラ本体４におけるスピーカ１６および放音孔１８の設置個所が装置本体２の装着部２０によって制約を受けて、カメラ本体４の放音孔１８が装置本体２の装着部２０で覆われても、装置本体２にカメラ本体４のスピーカ１６とは別のスピーカを設ける必要がない。このため、部品点数が少なく、製造コストを削減することができ、しかも装置本体２内に共鳴空間３１を形成するだけで良いので、構造が簡単で、部品点数も増加せず、容易に製作でき、これによっても低価格化を図ることができる。
【００３７】
また、この電子カメラ３においても、実施形態１と同様、カメラ本体４におけるスピーカ１６および放音孔１８の設置個所も装置本体２によって制約を受けることがないので、カメラ本体４の最適な位置にスピーカ１６および放音孔１８を設置することができ、これにより機能的にも、また外観的にも好ましいものを得ることができる。
【００３８】
なお、上記実施形態２では、装置本体２内に共鳴空間３１を形成しただけの構造であるが、これに限らず、例えば図１２に示した変形例２のように、装置本体２内に仕切り壁３３を設けて共鳴空間３４を形成し、この共鳴空間３４に対応する装置本体２の前面部に複数の孔からなる放音孔部３５を設けた構造でも良い。このようにすれば、共鳴空間３４で共鳴されて音質が高められた音を放音孔部３５から装置本体２の前面側に良好に放音させることができ、このためカメラ本体４内のスピーカ１６からの音を装置本体２の前面側で、より一層、良好に聞くことができる。この場合、複数の孔からなる放音孔部３５は必ずしも共鳴空間３４に対応する装置本体２の前面部に設ける必要はなく、共鳴空間３４に対応する装置本体２の左右両側の側面部に設けても良い。
【００３９】
（実施形態３）
次に、図１３および図１４を参照して、この発明を適用した実施形態３について説明する。この場合にも、図１〜図７に示された実施形態１と同一部分には同一符号を付して説明する。
この電子カメラ４０は、そのカメラ本体４の下面に凹部４１を設け、中継装置１の装置本体２に設けられた装着部２０に装着されたときに、カメラ本体４の下面に設けられた凹部４１によってカメラ本体４の放音孔１８から放音されるスピーカ１６の音を装置本体２の前面側に導く導音路４２を形成する構造で、これ以外は実施形態１とほぼ同じ構造になっている。
【００４０】
すなわち、カメラ本体４の凹部４１は、カメラ本体４の下面に設けられた放音孔１８に対応して設けられ、カメラ本体４の下部側が装置本体４の装着部２０に装着されたときに、カメラ本体４の下面が装着部２０の底面部２２に当接することにより、カメラ本体４内のスピーカ１６からの音を装置本体２の前面側に導く導音路４２を形成するように構成されている。なお、この電子カメラ４０においても、カメラ本体４の下面に凹部４１を設けた以外は実施形態１と同様に構成されている。
【００４１】
このような電子カメラ４０では、中継装置１の装置本体２の装着部２０にカメラ本体４の下部側を装着すると、このカメラ本体４の下面に設けられた凹部４１によってカメラ本体４の放音孔１８から放音されるスピーカ１６の音を中継装置１の前面側に導く導音路４２が形成されるので、カメラ本体４の放音孔１８が中継装置１の装着部２０によって覆われても、スピーカ１６からの音を導音路４２によって中継装置１の前面側に導くことができ、これによりスピーカ１６からの音を中継装置１の前面側で良好に聞くことができる。
【００４２】
このため、この実施形態３では、実施形態１のように、中継装置１の装置本体２に導音路４２を形成するための凹部２４やリブ２７を設ける必要がないので、装置本体２の形状および構造が簡単になり、その製作も容易で、中継装置１の低価格化を図ることができる。また、この実施形態３においても、電子カメラ４０のスピーカ１６とは別のスピーカを中継装置１に設ける必要がなく、しかもカメラ本体４におけるスピーカ１６および放音孔１８の設置個所も中継装置１によって制約を受けることがないため、カメラ本体４の最適な位置にスピーカ１６および放音孔１８を設けることができる。
【００４３】
なお、上記実施形態３では、カメラ本体４の下面に凹部４１を設けてスピーカ１６からの音を中継装置１の前面側に導く導音路４２を形成したが、必ずしもカメラ本体４の下面に設けられた凹部４１で導音路４２を形成する必要はなく、例えばカメラ本体４の下面に一対のリブを突出させて設け、この一対のリブによってスピーカ１６からの音を中継装置１の前面側に導く導音路４２を形成するように構成しても良い。
【００４４】
また、上記実施形態１、３およびその各変形例では、中継装置１の装置本体２と電子カメラ３、４０のカメラ本体４とによって形成される導音路２５、４２がスピーカ１６からの音を装置本体２の前面側に導くように構成されている場合について述べたが、必ずしも装置本体２の前面側に導く必要はなく、装置本体２の裏面側、または左右両側の側面側に導くように構成しても良く、要はスピーカ１６からの音を装置本体２の外部に導く構成であれば良い。
【００４５】
更に、上記実施形態１〜３およびその各変形例では、携帯型の電子機器として、電子カメラを用い場合について述べたが、これに限らず、例えば携帯電話機やポータブルな音響機器などのスピーカを内蔵した携帯型の電子機器に広く適用することができる。
【図面の簡単な説明】
【００４６】
【図１】この発明の中継装置に電子カメラを装着した状態の斜視図である。（実施形態１）
【図２】図１の中継装置を示した斜視図である。
【図３】図１の電子カメラを正面側から見た斜視図である。
【図４】図１の電子カメラを裏面側から見た斜視図である。
【図５】図１の正面図である。
【図６】図５のＡ−Ａ矢視における拡大断面図である。
【図７】図６の更に要部を拡大した断面図である。
【図８】変形例１の中継装置に電子カメラを装着した状態の正面図である。
【図９】図８のＢ−Ｂ矢視における拡大断面図である。
【図１０】この発明の中継装置に電子カメラを装着した状態の正面図である。（実施形態２）
【図１１】図１０のＣ−Ｃ矢視における拡大断面図である。
【図１２】変形例２の中継装置に電子カメラを装着した状態の拡大断面図である。
【図１３】この発明の電子カメラを中継装置に装着した状態の正面図である。（実施形態３）
【図１４】図１３のＤ−Ｄ矢視における拡大断面図である。
【符号の説明】
【００４７】
１、３０  中継装置
２  装置本体
３、４０  電子カメラ
４  カメラ本体
１６  スピーカ
１８  放音孔
２０  装着部
２２  底面部
２４、４１  凹部
２５、４２  導音路
２７  リブ
３１、３４  共鳴空間
３２  貫通孔
３５  放音孔部
【図１】
2005073108.tif 000003
【図２】
2005073108.tif 000004
【図３】
2005073108.tif 000005
【図４】
2005073108.tif 000006
【図５】
2005073108.tif 000007
【図６】
2005073108.tif 000008
【図７】
2005073108.tif 000009
【図８】
2005073108.tif 000010
【図９】
2005073108.tif 000011
【図１０】
2005073108.tif 000012
【図１１】
2005073108.tif 000013
【図１２】
2005073108.tif 000014
【図１３】
2005073108.tif 000015
【図１４】
2005073108.tif 000016